(57)【要約】【課題】収納物から発する香りなどの拡散量を調節できる収納袋を提供する。【解決手段】少なくとも１つの収納部３を有する袋本体２の開口部２aに収納部３を密封自在なファスナー部４を設けてある収納袋において、袋本体２のファスナー部４よりも外方にファスナー部４に挟み込み可能な複数の通気保持部５を形成した収納袋１とした。  通気保持部５をファスナー部４に挟み込み、ファスナー部４を閉じることにより、通気口を形成することができ、収納物３の香りなどを拡散させることができる。また、挟み込む通気保持部５の数を、増減させることにより、香りなどの拡散量を調節することができる。【選択図】図３
2007223650.tif 000002
【特許請求の範囲】
【請求項１】
少なくとも１つの収納部を有する袋本体の開口部に収納部を密封自在なファスナー部を設けてある収納袋において、袋本体のファスナー部よりも外方にファスナー部に挟み込み可能な複数の通気保持部を形成した収納袋。
【請求項２】
通気保持部を、ファスナー部に沿い凹凸した蛇腹状に形成した請求項１に記載の収納袋。
【請求項３】
少なくとも２つの収納部を有する袋本体の開口部に収納部を密封自在なファスナー部を設けてある収納袋において、収納部を仕切る仕切り面部のファスナー部よりも外方にファスナー部に挟み込み可能な複数の通気保持部を形成した収納袋。
【請求項４】
袋本体の外端部側からファスナー部に向かい切り裂き可能な切り裂き部を形成し、切り裂き部を切り裂くことにより通気保持部を形成可能としてある請求項１〜３のいずれかに記載の収納袋。
【請求項５】
密封してある略矩形の袋本体の上端部側に収納部を密封自在なファスナー部を設け、ファスナー部よりも上側に袋本体を幅方向に開封可能な開封部を形成し、袋本体の少なくとも一面側のファスナー部と開封部との間に上端部側からファスナー部に向かい切り裂き可能な複数の切り裂き部を形成した収納袋。
【発明の詳細な説明】
【技術分野】
【０００１】
本発明は、香りを発するシートなどを収納し、服のポケットや財布などに納めることのできる収納袋に関する。
【背景技術】
【０００２】
従来、収納物から発する香りやガスの拡散量を調節できる収納袋としては、例えば、プラスチックフィルム製の袋の口部に上下２列のジッパーを設け、そのジッパー間に穴を加工し、穴を粘着テープで被覆したものがある。これは、ジッパーの開閉及び粘着テープの貼付又は剥離により、香りなどの拡散量を調節できるようにしたものである(下記、特許文献１参照)。
また、小片シートを、袋の開閉口に挟み込み、収納物から発するガスを抜けるようにした収納袋もある(下記、特許文献２参照)。
【０００３】
【特許文献１】特開平６−９９９９１号公報
【特許文献２】実登３０４４９８７号公報
【発明の開示】
【発明が解決しようとする課題】
【０００４】
香料を含浸或いは塗布したシートを、収納袋に収納し、この収納袋を服のポケットや財布などに入れ、香水の如く用いることがある。
この場合、上記特許文献１に記載のような収納袋を用いると、粘着テープを開口に貼り合わせて拡散量を調節するものであるため、香りの拡散量を調整しにくいという問題があった。また、粘着テープを何度も開口に貼り合わせている間に、粘着力が落ちて剥がれ落ちてしまい、粘着テープを失くしてしまうおそれがあった。
上記特許文献２に記載のような収納袋を用いても、上記と同じく、拡散量を調節しにくく、また、小片シートを失くしてしまうおそれがあった。
【０００５】
本発明は、上記課題に鑑み、収納物から発する香りなどの拡散量を調節でき、拡散量を調節する部材を失くすおそれのない収納袋を提供するものである。
【課題を解決するための手段】
【０００６】
本発明の収納袋は、少なくとも１つの収納部を有する袋本体の開口部に収納部を密封自在なファスナー部を設けてある収納袋において、袋本体のファスナー部よりも外方にファスナー部に挟み込み可能な複数の通気保持部を形成したことを特徴とする。
このような構成とすることにより、通気保持部をファスナー部に挟み込み、ファスナー部を閉じることにより、通気口を形成することができ、収納物の香りを拡散させることができる。また、挟み込む通気保持部の数を、増減させることにより、香りなどの拡散量を調節することができる。
【０００７】
前記通気保持部は、ファスナー部に沿い凹凸した蛇腹状に形成することができる。
このような構成とすることにより、凹凸が通気口となり、収納物の香りをより拡散させやすくなる。
【０００８】
本発明の収納袋は、少なくとも２つの収納部を有する袋本体の開口部に収納部を密封自在なファスナー部を設けてある収納袋において、収納部を仕切る仕切り面部のファスナー部よりも外方にファスナー部に挟み込み可能な複数の通気保持部を形成したことも特徴とする。
このような構成とすることにより、通気保持部を、袋本体の一面側又は他面側に折り曲げて両収納部のファスナー部に挟み込むことができ、両収納部に通気孔を形成することができる。
【０００９】
上記収納袋は、袋本体の外端部側からファスナー部に向かい切り裂き可能な切り裂き部を形成し、切り裂き部を切り裂くことにより通気保持部を形成可能とした構成とすることができる。
このような構成とすることにより、切り裂き部を切り裂くことにより通気保持部を形成できるので、必要な数の通気保持部を形成できるものとなる。
【００１０】
本発明の収納袋は、密封してある略矩形の袋本体の上端部側に収納部を密封自在なファスナー部を設け、ファスナー部よりも上側に袋本体を幅方向に開封可能な開封部を形成し、袋本体の少なくとも一面側のファスナー部と開封部との間に上端部側からファスナー部に向かい切り裂き可能な複数の切り裂き部を形成した構成とすることもできる。
このような構成とすることにより、使用前は密封状態とすることができ、使用する際は開封部から開封し、切り裂き線を切り裂いて、必要な数の通気保持部を形成することができる。
【発明を実施するための最良の形態】
【００１１】
以下、本発明を、図示した一実施形態に基づいて説明する。
【００１２】
本発明の第一実施形態の収納袋１は、図１に示すように、略矩形扁平状の袋本体２の上端部に開口部２aを設け、袋内部を収納部３としたものであり、開口部２a側には、上端部と並行したファスナー部４が設けてあり、袋本体２の一面側のファスナー部４よりも上方には、複数の通気保持部５,５・・・を形成してある。
【００１３】
袋本体２は、樹脂フィルムで形成してあり、この樹脂フィルムとしては、例えば、ポリエチレン、ポリプロピレン、エチレンー酢酸ビニル共重合体、ポリエステルなどのフィルムを用いることができる。好ましくは、ガスバリア性のある樹脂フィルムを用いる。特に、アルミニウムを蒸着又は積層したフィルム、例えば、表面側から、ポリエステル、アルミニウム、ポリエチレンの順に積層したフィルムを用いるのが好ましい。
【００１４】
袋本体２は、１枚の樹脂フィルムを折り返して下端部とし、両側端部をヒートシールして封じてある。封じ方は、これに限定するものではなく、高周波や接着剤により封じてもよい。また、略矩形状の２枚の樹脂フィルムを重ね合わせ、３辺をヒートシールなどして封じてもよい。
本実施形態の袋本体２は、略矩形扁平状としてあるが、これに限定するものではなく、略楕円状などの適宜形状に形成してよく、また、若干膨らみのある形状としてもよい。
【００１５】
ファスナー部４は、袋本体２の内面に形成してあり、開閉により収納部３を密封自在にでき、図２に示すように、先端を断面略円形状に膨らませた嵌合部４aと、嵌合部４aを嵌め合わせることのできる断面略C状の被嵌合部４bとを対向するように配したジッパーを用いている。
ファスナー部４は、嵌め合わせて収納部３を密封することのできるものであればよく、上記構成に限定するものではない。
【００１６】
通気保持部５は、図１又は図３に示すように、ファスナー部４の嵌合部４aと被嵌合部４ｂとの間に挟み込むことのできる略矩形短冊状ものであり、袋本体２の一面側(図３では裏面側)に、上端部側から略垂直に複数の切れ込みを入れ、ファスナー部４沿いに形成してある。また、上記一面側の上端部を、他面側の上端部よりも高く形成してあり、通気保持部５を摘まみやすくしてある。
本実施形態では、８つの通気保持部５を設けてあるが、これに限定するものではなく、適宜数の通気保持部を形成することができる。
【００１７】
通気保持部５は、図４に示すように、上下方向に伸びる突条及び凹溝を交互に形成した蛇腹状の通気保持部５aとして形成することもできる。このように、ファスナー部４に沿い凹凸した蛇腹状の通気保持部５aを形成することにより、通気口を形成しやすくなる。
通気保持部５の形状は、略矩形状の他、先端を半円状などに形成してもよく、適宜形状とすることができる。
本実施形態では、通気保持部５を一面側に設けてあるが、両面側に設けてもよい。また、本実施形態では、上端部の全幅に通気保持部５を設けてあるが、上端部の一部にのみ、通気保持部５を設けるようにしてもよい。
【００１８】
以下、本発明の一実施形態の収納袋１の使用方法を説明する。
収納袋１のファスナー部４を開け、図１に示すように、収納部３に香りを発するシート７などを収納する。次に、図３に示すように、通気保持部５の先端部を、収納部３内に挿入するように折り曲げ、ファスナー部４の嵌合部４aと被嵌合部４bとの間に位置させる。この状態で、嵌合部４aと被嵌合部４bとを嵌め合わせてファスナー部４を閉じる。通気保持部５を挟み込んだ箇所は、閉じることができないため、通気口となり、シートから発する香りを拡散することができる。この収納袋１を、背広の内ポケットや財布などに入れ、香水の如く用いることができる。
また、挟み込む通気保持部５の数を増やせば、香りの拡散量を増やすことができ、挟み込む通気保持部５の数を減らせば、香りの拡散量を減らすことができ、本発明の収納袋１は、このように、香りの拡散量を調節することができる。また、通気保持部５は、袋本体２に形成してあるので失くすことはない。
香りの発生を防止したい場合は、通気保持部５をファスナー部４間から抜き出し、ファスナー部４を閉じ、収納部３内を密封状態とすればよい。
なお、香りを発するシートとしては、バラやラベンダーなどの香料を、トウモロコシのでんぷんなどから製造したシクロデキストリンに練りこみ、これを紙などに塗布或いは含浸させたものなどを用いることができる。
【００１９】
上記実施形態の収納袋１の変形例として、図５（Ａ）に示すように、袋本体３の上端部側から略垂直に筋状の切り裂き線６を設け、図５（Ｂ）に示すように、切り裂き線６を切り裂くことにより通気保持部５ｂを形成できるようにすることもできる。切り裂き線６は、厚さを他の部分よりも薄くした筋状に形成する他、点線状に穴を開けたり、フィルムを延伸して上下方向に切り裂きしやすくしたりして形成できる。
【００２０】
以下、本発明の収納袋の他の実施形態を説明する。なお、説明するにあたり、第一実施形態と同一構成の箇所の説明は省略する。
本発明の収納袋の第二実施形態は、図６に示すように、袋本体１２の表裏に２つの収納部１３ａ,１３ｂを有する収納袋１１としてある。通気保持部１５は、収納部１３ａ,１３ｂを仕切る仕切り面部１８に形成してあり、表側又は裏側に通気保持部１５を折り曲げてファスナー部１４に挟み込み、両収納部１３ａ,１３ｂに通気口を形成することができるようにしてある。
本実施形態では、仕切り面部１８に通気保持部１５を形成してあるが、これに限定するものではなく、袋本体の表面又は裏面に設けることも可能である。また、収納部は、３つ以上ある構成とすることもできる。
【００２１】
本発明の収納袋の第三実施形態は、図７に示すように、袋本体２２の四辺を、予めヒートシールなどにより封じて密封状態としてあり、袋本体２２の上端部側には、袋本体２２の幅方向に開封可能な開封部２８とファスナー部２４とが設けてあり、袋本体２２の一面側(図７では表側)には、上端部側からファスナー部２４に向かう筋状の切り裂き線２６を複数設けてある。
開封部２８は、厚さを他の部位よりも薄くして筋状に形成したり、樹脂フィルムを延伸して幅方向に開封しやすくしたりして形成することができる。
開封部２８を幅方向に破り、上端部側からファスナー部４に向かい切り裂き線２６を切り裂くことにより、通気保持部２５を形成できる。
収納袋２１は、予め香りを発するシートなどを密封することができるので、使用時まで封入したシートなどの香りを逃すことがない。
【図面の簡単な説明】
【００２２】
【図１】本発明の収納袋の第一実施形態の概略斜視図である。
【図２】図１の収納袋のファスナー部を示す部分拡大断面図である。
【図３】図１の収納袋において、通気保持部をファスナー部に挟み込ませた状態を示す概略斜視図である。
【図４】図１の収納袋の通気保持部の変形例を示す部分拡大図である。
【図５】図１の収納袋の変形例を示し、(Ａ)は概略斜視図、(Ｂ)は切り裂き線を切り裂く状態の図である。
【図６】本発明の収納袋の第二実施形態を示す概略斜視図である。
【図７】本発明の収納袋の第三実施形態を示す概略正面図である。
【符号の説明】
【００２３】
１収納袋  ２袋本体  ２ａ開口部  ３収納部  ４ファスナー部  ４ａ嵌合部
４ｂ被嵌合部  ５,５ａ,５ｂ通気保持部  ６切り裂き線  ７シート
１１収納袋  １２袋本体  １３ａ,１３ｂ収納部  １４ファスナー部
１５通気保持部  １８仕切り面部
２１収納袋  ２２袋本体  ２４ファスナー部  ２５通気保持部  ２６切り裂き線
２８開封部
【図１】
2007223650.tif 000003
【図２】
2007223650.tif 000004
【図３】
2007223650.tif 000005
【図４】
2007223650.tif 000006
【図５】
2007223650.tif 000007
【図６】
2007223650.tif 000008
【図７】
2007223650.tif 000009